【手続補正書】
【提出日】平成20年9月12日(2008.9.12)
【手続補正１】
【補正対象書類名】特許請求の範囲
【補正対象項目名】全文
【補正方法】変更
【補正の内容】
【特許請求の範囲】
【請求項１】
通信システムにおいてデータを送信する方法であって、
データパケットを符号化して前記データパケットに関する複数の符号ビットを得ることと、
前記複数の符号ビットを用いて複数の符号ビットブロックを形成することと、
前記データパケットに関してパケットフォーマットを決定することであって、前記パケットフォーマットは、前記複数のブロックの各々に関して所定の変調方式と、関連するスペクトル効率を指定することと、
前記ブロックに関して用いられる前記所定の変調方式に従って前記複数のブロックの各々における前記符号ビットをマッピングして前記ブロックに関する変調シンボルを生成することであって、前記複数の符号ビットブロックに関して複数の変調シンボルブロックが生成されること、とを具備する方法。
【請求項２】
前記複数の変調シンボルブロックを順次送信することをさらに具備する請求項１に記載の方法。
【請求項３】
前記複数の変調シンボルブロックを順次送信することは、
前記複数のブロックの各々における前記所定の変調方式のうちで最高の順位を有する第１の変調方式を用いて生成された第１の変調シンボルブロックを、前記順次において最初に送信することを具備する請求項２に記載の方法。
【請求項４】
前記複数の変調シンボルブロックを順次送信することは、
前記複数のブロックの各々における前記所定の変調方式のうちで２番目に高い順位を有する第２の変調方式を用いて生成された第２の変調シンボルブロックを、前記順次において２番目に送信することをさらに具備する請求項３に記載の方法。
【請求項５】
前記複数の変調シンボルブロックを順次送信することは、
前記第１の変調シンボルブロック後に、前記第１の変調方式よりも低い順位を有する第２の変調方式を用いて生成された、前記複数の変調シンボルブロックのうちの各々の残りの１つを送信することをさらに具備する請求項３に記載の方法。
【請求項６】
前記パケットフォーマットを決定することは、
前記複数のブロックの各々と関連するスペクトル効率を決定することと、
前記関連するスペクトル効率に基づいて各ブロックに関する前記変調方式を選択すること、とを具備する請求項１に記載の方法。
【請求項７】
各ブロックに関する前記変調方式を選択することは、
各ブロックに関する前記変調方式をシステムによってサポートされる複数の変調方式の中から選択することを具備する請求項６に記載の方法。
【請求項８】
前記複数のブロックの各々と関連する前記スペクトル効率を決定することは、
前記複数のブロックのうちで前記ブロックが送信される位置を決定することと、
前記ブロックと関連する前記スペクトル効率を、それ以前に送信されるブロックが存在する場合に該ブロックに関して用いられる変調方式に基づいて決定すること、とを具備する請求項６に記載の方法。
【請求項９】
各ブロックに関する前記変調方式を選択することは、
前記ブロックと関連するスペクトル効率の少なくとも２倍である符号ビット数／変調シンボルと関連する変調方式又は前記システムによってサポートされる複数の変調方式のうちで最高の順位を有する変調方式である変調方式を選択することを具備する請求項６に記載の方法。
【請求項１０】
各ブロックに関する前記変調方式を前記選択することは、
前記関連するスペクトル効率が１以下である場合に前記ブロックに関する４位相偏移（ＱＰＳＫ）を選択することをさらに具備する請求項６に記載の方法。
【請求項１１】
前記データパケットを前記符号化して前記データパケットに関する前記複数の符号ビットを得ることは、
固定された符号化率を有する順方向誤り訂正（ＦＥＣ）符号を用いて前記データパケットを符号化して前記データパケットに関する前記複数の符号ビットを生成することを具備する請求項１に記載の方法。
【請求項１２】
前記データパケットを符号化して前記データパケットに関する前記複数の符号ビットを得ることは、
固定された符号化率を有するターボ符号を用いて前記データパケットを符号化して前記データパケットに関する前記複数の符号ビットを生成することを具備する請求項１に記載の方法。
【請求項１３】
前記複数の符号ビットを用いて前記複数の符号ビットブロックを形成することは、
前記複数の符号ビットを複数のパンクチャリングパターンでパンクチャリングして前記複数の符号ビットブロックを生成することを具備する請求項１に記載の方法。
【請求項１４】
前記複数の符号ビットを用いて前記複数の符号ビットブロックを形成することは、
前記複数の符号ビットの中から選択されさらに前記複数の符号ビットブロックのうちのその他の符号ビットブロックの中に含まれていない符号ビットを用いて各符号ビットブロックを形成することを具備する請求項１に記載の方法。
【請求項１５】
前記複数の変調シンボルブロックのうちの少なくとも１つを送信することをさらに具備する請求項１に記載の方法。
【請求項１６】
前記複数の変調シンボルブロックのうちの第１の変調シンボルブロックを送信することと、
前記データパケットが受信機によって正確に復号されるか又は前記複数の変調シンボルブロックの全てが送信されるまで、前記複数の変調シンボルブロックのうちの残りの変調シンボルブロックを一度に１ブロックずつ送信すること、とをさらに具備する請求項１に記載の方法。
【請求項１７】
無線通信システムにおける装置であって、
データパケットを符号化して前記データパケットに関する複数の符号ビットを得るために動作可能な符号器と、
前記複数の符号ビットを用いて複数の符号ビットブロックを形成するために動作可能なパーティショニング装置と、
前記データパケットに関してパケットフォーマットを決定するように動作可能なコントローラであって、前記パケットフォーマットは、前記複数のブロックの各々に関して所定の変調方式と、関連するスペクトル効率を指定するコントローラと、
前記ブロックに関して用いられる前記所定の変調方式に従って前記複数のブロックの各々における前記符号ビットをマッピングして前記ブロックに関する変調方式を生成するために動作可能なシンボルマッピング装置であって、前記複数の符号ビットブロックに関して複数の変調シンボルブロックが生成されるシンボルマッピング装置と、を具備する、装置。
【請求項１８】
前記複数の変調シンボルブロックを順次で提供するために及び前記複数のブロックの各々に関して所定の変調方式のうちで最高の順位を有する第１の変調方式を用いて生成された第１の変調シンボルブロックを前記順次において最初に送信するために動作可能なマルチプレクサをさらに具備する請求項１７に記載の装置。
【請求項１９】
パケットフォーマットを決定するように動作可能な前記コントローラは、前記複数のブロックの各々と関連するスペクトル効率を決定するために及び前記関連するスペクトル効率に基づいて各ブロックに関する前記変調方式を選択するように動作可能なコントローラを具備する請求項１７に記載の装置。
【請求項２０】
前記コントローラは、前記複数の変調シンボルブロックのうちで第１の変調シンボルブロックの送信を指示するために及び前記データパケットが受信機によって正確に復号されるか又は前記複数の変調シンボルブロックの全てが送信されるまで、前記複数の変調シンボルブロックのうちの残りの変調シンボルブロックを一度に１ブロックずつ送信することを指示するためにさらに動作可能である請求項１７に記載の装置。
【請求項２１】
通信システムにおける装置であって、
データパケットを符号化して前記データパケットに関する複数の符号ビットを得るための手段と、
前記複数の符号ビットを用いて複数の符号ビットブロックを形成するための手段と、
前記データパケットに関してパケットフォーマットを決定する手段であって、前記パケットフォーマットは、前記複数のブロックの各々に関して所定の変調方式と、関連するスペクトル効率を指定する手段と、
前記ブロックに関して用いられる前記所定の変調方式に従って前記複数のブロックの各々における前記符号ビットをマッピングするための手段であって、前記複数の符号ビットブロックに関して複数の変調シンボルブロックが生成される手段と、を具備する、装置。
【請求項２２】
前記複数のブロックの各々における前記所定の変調方式のうちで最高の順位を有する第１の変調方式を用いて生成された第１の変調シンボルブロックを最初に送信するための手段と、
前記複数のブロックの各々における前記所定の変調方式のうちで２番目に高い順位を有する第２の変調方式を用いて生成された第２の変調シンボルブロックを２番目に送信するための手段と、をさらに具備する請求項２１に記載の装置。
【請求項２３】
パケットフォーマットを決定するための前記手段は、
前記複数のブロックの各々と関連するスペクトル効率を決定するための手段と、
各ブロックに関する前記変調方式を前記関連するスペクトル効率に基づいて選択するための手段と、を具備する請求項２１に記載の装置。
【請求項２４】
前記複数の変調シンボルブロックのうちの第１の変調シンボルブロックを送信するための手段と、
前記データパケットが受信機によって正確に復号されるか又は前記複数の変調シンボルブロックの全てが送信されるまで、前記複数の変調シンボルブロックのうちの残りの変調シンボルブロックを一度に１ブロックずつ送信するための手段と、をさらに具備する請求項２１に記載の装置。
【請求項２５】
前記データパケットが受信機によって正確に復号されるか又は最大数のブロックが前記データパケットに関して送信されるまで、前記複数の変調シンボルブロックを順次送信することを繰り返すことであって、前記最大数のブロックに関して少なくとも２つの異なる変調方式が用いられること、とをさらに具備する、請求項２に記載の方法。
【請求項２６】
集積回路であって、
データパケットを符号化して前記データパケットに関する複数の符号ビットを取得し、
前記複数の符号ビットを用いて複数の符号ビットブロックを形成し、
前記データパケットに関してパケットフォーマットを決定することであって、前記パケットフォーマットは、前記複数のブロックの各々に関して所定の変調方式と、関連するスペクトル効率を指定し、
前記ブロックに関して用いられる前記所定の変調方式に従って前記複数のブロックの各々における前記符号ビットをマッピングして前記ブロックに関する変調シンボルを生成することであって、前記複数の変調シンボルブロックは、前記複数の符号ビットブロックに関して生成される、ように構成された電気回路を具備する集積回路。
【請求項２７】
コンピュータプログラム製品であって、
コンピュータに、データパケットを符号化して前記データパケットに関する複数の符号ビットを得させるコードと、
コンピュータに、前記複数の符号ビットを用いて符号ビットブロックを形成させるコードと、
コンピュータに、前記データパケットに関してパケットフォーマットを決定させるコードであって、前記パケットフォーマットは、前記複数のブロックの各々に関して所定の変調方式と、関連するスペクトル効率を指定するコードと、
コンピュータに、前記ブロックに関して用いられる前記変調方式に従って前記複数のブロックの各々における前記符号ビットをマッピングして前記ブロックに関する変調シンボルを生成させるコードであって、前記複数の変調シンボルブロックは、前記複数の符号ビットブロックに関して生成されるコードと、
を具備するコンピュータ読み取り可能な媒体を具備するコンピュータプログラム製品。